【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
ギャレーカート（１００）であって、
空洞（１２０）を画定するハウジング（１０２）；
前記ハウジングに連結され、閉鎖位置と開放位置との間を移動するように構成されたドア（１１２）；及び
前記ハウジングと前記ドアとの間に連結されたシールアセンブリであって、前記ドアが前記閉鎖位置から前記開放位置に移動したときにガスを吸引し、前記ドアが前記開放位置から前記閉鎖位置に移動したときにガスを排出するように構成された少なくとも一のバルブシール（１２６）を含む前記シールアセンブリ
を備え、前記少なくとも一のバルブシール（１２６）が少なくとも一つの孔を前記ギャレーカートの底部の近傍に有し、前記少なくとも一つの孔が排出されるガスを下方に向かって方向付けるように構成された、ギャレーカート（１００）。
【請求項２】
前記ドア（１１２）は、前記ドアの第１の側面に沿って装着された少なくとも一のヒンジ（１１４）により前記ハウジング（１０２）に連結されており、前記少なくとも一のバルブシール（１２６）は、前記ヒンジとは反対側の前記ドアの第２の側面に沿って垂直に方向付けられている、請求項１に記載のギャレーカート（１００）。
【請求項３】
前記シールアセンブリは、前記ドアの底縁に沿って水平に装着されている、請求項１に記載のギャレーカート（１００）。
【請求項４】
前記少なくとも一のバルブシール（１２６）は二のエンドキャップ（１３０）を含み、前記エンドキャップの一方は、ガスを吸引及び排出するための前記少なくとも一の孔（１２８）を有する、請求項１から３のいずれか一項に記載のギャレーカート（１００）。
【請求項５】
前記ギャレーカートの前記底部（１１０）に、前記少なくとも一つの孔と連通している逃がしチャネル（１３６）をさらに含む、請求項１から３のいずれか一項に記載のギャレーカート（１００）。
【請求項６】
前記シールアセンブリは、前記ハウジング（１０２）に連結されている、請求項１から５のいずれか一項に記載のギャレーカート（１００）
【請求項７】
前記シールアセンブリは、前記ドア（１１２）に連結されている、請求項１から６のいずれか一項に記載のギャレーカート（１００）。
【請求項８】
前記少なくとも一のバルブシール（１２６）から延びるＴ字型リブ（１４０）が前記シールアセンブリに組み込まれており、前記Ｔ字型リブを受けるＴ字型スロット（１４２）が前記ハウジング（１０２）に組み込まれていることにより、前記少なくとも一のバルブシールが拘束される、請求項６に記載のギャレーカート（１００）
【請求項９】
前記少なくとも一のバルブシール（１２６）から延びるＴ字型リブ（１４０）が前記シールアセンブリに組み込まれており、前記Ｔ字型リブを受けるＴ字型スロット（１４２）が前記ドア（１１２）に組み込まれていることにより、前記少なくとも一のバルブシールが拘束される、請求項７に記載のギャレーカート（１００）。
【請求項１０】
前記シールアセンブリに、Ｔ字型リブ（１４０）が組み込まれている、請求項１から７のいずれか一項に記載のギャレーカート（１００）。
【請求項１１】
前記シールアセンブリに、平坦なフランジ（１４４）が組み込まれている、請求項１から７のいずれか一項に記載のギャレーカート（１００）。
【請求項１２】
前記少なくとも一の孔（１２８、１３８）が、前記空洞（１２０）中へ、ガスを排出するように位置決めされている、請求項１から１１のいずれか一項に記載のギャレーカート（１００）。
【請求項１３】
前記少なくとも一の孔（１２８、１３８）が、前記排出されるガスを、前記ハウジング（１０２）の底部から下方に向かって方向付ける、請求項１から１１のいずれか一項に記載のギャレーカート（１００）。
【請求項１４】
前記少なくとも一のバルブシール（１２６）が、前記ドアが閉鎖している圧縮位置と、前記ドアが開放されている拡張位置とを有し、前記少なくとも一のバルブシールが前記圧縮位置から前記拡張位置へ移行することにより、前記少なくとも一の孔を通して前記空洞内部から前記少なくとも一のバルブシール中へと前記ガスが吸引される、請求項１から１２のいずれか一項に記載のギャレーカート（１００）。
【請求項１５】
前記少なくとも一のバルブシール（１２６）が前記拡張位置から前記圧縮位置へ移行することにより、前記少なくとも一の孔を通して前記少なくとも一のバルブシール内部から前記ガスが排出される、請求項１４に記載のギャレーカート（１００）。
【請求項１６】
ギャレーカート内のＣＯ２昇華物を収集するための方法であって、
前記ギャレーカートのドアとハウジングとの間で、少なくとも一の孔を有するバルブシールを圧縮すること；
前記ドアを開放すること；
及び前記バルブシールを拡張させて、前記少なくとも一の孔を通して前記ＣＯ２昇華物を前記バルブシール中へと吸引することを含む方法。
【請求項１７】
前記ドアを閉鎖すること；
及び前記バルブシールを圧縮して前記ＣＯ２昇華物を排出することをさらに含む、請求項１６に記載の方法。
【請求項１８】
前記排出されるＣＯ２昇華物をギャレーカートから下方に向かって方向付けることをさらに含む、請求項１７に記載の方法。
【請求項１９】
前記ＣＯ２昇華物を前記ギャレーカートの内部空洞中に排出することをさらに含む、請求項１７に記載の方法。
【請求項２０】
ギャレーカートを操作するための方法であって、
前記ギャレーカートのドアを閉じることであって、前記ドアと前記ギャレーカートのハウジングとの間のバルブシールを圧縮することを含み、該バルブシールは前記ギャレーカートの底部の近傍の少なくとも一つの孔を有する、ドアを閉じることを含み、
前記バルブシールを圧縮することは、前記バルブシールが前記少なくとも一つの孔を通ってガスを下方に向かって排出することを含む、方法。
【請求項２１】
請求項２０に記載された方法であって、
ＣＯ２昇華物を前記バルブシールに前記少なくとも一つの孔を通って吸引すること含む、ドアを開けること、をさらに有する方法。
【請求項２２】
請求項２０に記載された方法であって、
前記ドアを閉じることは、前記ドアを開けたあとで前記ドアを閉じることを含み、
前記バルブシールに前記ガスを排出させることは、前記バルブシールに前記ＣＯ２昇華物を下方に向かって排出することを含む、方法。
【請求項２３】
請求項２２に記載された方法であって、
前記バルブシールに前記ＣＯ２昇華物を下方に向かって排出させることは、前記バルブシールに前記ギャレーカートから前記ＣＯ２昇華物を下方に向かって排出することを含む、方法。
【請求項２４】
請求項２２に記載された方法であって、
前記バルブシールに前記ＣＯ２昇華物を下方に向かって排出させることは、前記バルブシールに前記カートの内部空洞中に前記ＣＯ２昇華物を下方に向かって排出することを含む、方法。
【手続補正２】
【補正対象書類名】明細書
【補正対象項目名】００２１
【補正方法】変更
【補正の内容】
【００２１】
上記に、特許法の要件に従って本発明の様々な実施形態を詳細に記載したことにより、当業者であれば、本明細書に開示される特定の実施形態に対する修正例及び代替例を認識するだろう。このような修正例は、特許請求の範囲において規定される本発明の範囲及び意図に含まれる。
また、本願は以下に記載する態様を含む。
（態様１）
空洞（１２０）を画定するハウジング（１０２）；
前記ハウジングに連結され、閉鎖位置と開放位置との間を移動するように構成されたドア（１１２）；及び
前記ハウジングと前記ドアとの間に連結されたシールアセンブリであって、前記ドアが前記開放位置にあるときにガスを吸引し、前記ドアが前記閉鎖位置にあるときにガスを排出するように構成された少なくとも一のバルブシール（１２６）を含む前記シールアセンブリ
を備えたギャレーカート（１００）。
（態様２）
前記ドア（１１２）は、前記ドアの第１の側面に沿って装着された少なくとも一のヒンジ（１１４）により前記ハウジング（１０２）に連結されており、前記少なくとも一のバルブシール（１２６）は、前記ドアの前記ヒンジとは反対側の第２の側面に沿って垂直に方向付けられている、態様１に記載のギャレーカート（１００）。
（態様３）
前記少なくとも一のバルブシール（１２６）は二のエンドキャップ（１３０）を含み、前記エンドキャップの一方は、ガスを吸引及び排出するための少なくとも一の孔（１２８）を有し、前記少なくとも一の孔は、前記ギャレーカートの底部（１１０）の近傍に位置し、排出ガスを下方に向かって方向付ける、態様２に記載のギャレーカート（１００）。
（態様４）
前記底部（１１０）に逃がしチャネル（１３６）をさらに含む、態様３に記載のギャレーカート（１００）。
（態様５）
前記シールアセンブリは、前記ハウジング（１０２）に連結されているか、前記ドア（１１２）に連結されているかのどちらか一方であり、前記ドアの底縁に沿って水平に装着されている、態様１に記載のギャレーカート（１００）。
（態様６）
前記少なくとも一のバルブシール（１２６）は、前記ハウジング（１０２）の底部近傍に少なくとも一の孔（１２８、１３８）を有し、前記ガスの排出を下方に向かって方向付ける、態様１に記載のギャレーカート（１００）。
（態様７）
前記少なくとも一のバルブシール（１２６）は、前記空洞（１２０）と連通する少なくとも一の孔（１２８、１３８）を含み、前記少なくとも一のバルブシールは、前記ドア（１１２）が閉鎖している圧縮位置と、前記ドアが開放されている拡張位置とを有し、前記少なくとも一のバルブシールが前記圧縮位置から前記拡張位置へ移行することにより、前記少なくとも一の孔を通して前記空洞内部から前記少なくとも一のバルブシール中へとガスが吸引される、態様１に記載のギャレーカート（１００）。
（態様８）
前記少なくとも一のバルブシール（１２６）が前記拡張位置から前記圧縮位置へ移行することにより、少なくとも一の孔（１２８、１３８）を通して前記少なくとも一のバルブシール内部からガスが排出される、態様７に記載のギャレーカート（１００）。
（態様９）
前記少なくとも一の孔（１２８、１３８）が、前記ハウジング（１０２）の底部から下方へ向かって、又は前記空洞（１２０）中へ、ガスを排出するように位置決めされている、態様８に記載のギャレーカート（１００）。
（態様１０）
前記少なくとも一のバルブシール（１２６）から延びるＴ字型リブ（１４０）が前記シールアセンブリに組み込まれており、前記Ｔ字型リブを受けるＴ字型スロット（１４２）が前記ハウジング（１０２）に組み込まれていることにより、前記少なくとも一のバルブシールが拘束される、態様１に記載のギャレーカート（１００）。
（態様１１）
前記少なくとも一のバルブシール（１２６）から延びるＴ字型リブ（１４０）が前記シールアセンブリに組み込まれており、前記Ｔ字型リブを受けるＴ字型スロット（１４２）が前記ドア（１１２）に組み込まれていることにより、前記少なくとも一のバルブシールが拘束される、態様１に記載のギャレーカート（１００）。
（態様１２）
前記シールアセンブリに、Ｔ字型リブ（１４０）又は平坦なフランジ（１４４）の組から選択される取付要素が組み込まれている、態様１に記載のギャレーカート（１００）。